(57)【要約】【課題】光コネクタの着脱における作業性を改善した通信装置を提供する。【解決手段】シェルフ本体に実装される光インタフェースプラグインユニット３６において、そのプリント基板５０は、装置前面側に斜め下方に延びる切欠き部を有し、この切欠き部内に保持されたアダプタホルダ７０には、装置前面の斜め下方よりアクセスされる装置外光コネクタ８５を接続するようにしたアダプタ７６が設けられている。光インタフェースプラグインユニット３６に対して光ファイバを斜めに実装する構成としたことで、光インタフェースプラグインユニット３６を引き抜くことなく、装置前面から光ファイバの導入を可能にしている。【選択図】図２３
2007179064.tif 000002
【特許請求の範囲】
【請求項１】
複数のインタフェースプラグインユニットをシェルフ本体に実装して構成される通信装置において、
前記インタフェースプラグインユニットは、装置前面側に斜め下方に延びる切欠き部を有するプリント基板と、装置前面側の前記プリント基板に取り付けられる第１および第２の表面板およびカードレバーと、前記第１の表面板によって前記切欠き部内に保持されたアダプタホルダと、前記アダプタホルダに保持されて前記プリント基板に搭載された光モジュールから引き出された光ファイバと前記第１の表面板と第２の表面板との間を通って斜め下方よりアクセスされる光ファイバとを接続するアダプタとを有することを特徴とする通信装置。
【請求項２】
前記シェルフ本体は、前記インタフェースプラグインユニットを実装する棚を２段構成にしたことを特徴とする請求項１記載の通信装置。
【請求項３】
前記シェルフ本体は、装置前面側における前記棚の下部に側壁まで水平に延びるよう設置され、前記インタフェースプラグインユニットに対して斜め下方よりアクセスされる光ファイバを整線収納するファイバトレイを有していることを特徴とする請求項２記載の通信装置。
【請求項４】
前記ファイバトレイは、光ファイバを載せる下部溝型レールと幅が前記下部溝型レールよりも小さくて前記下部溝型レールの上部に配置される上部溝型レールとを有し、前記上部溝型レールと下部溝型レールとの幅の違いによって生じる段差より前記光ファイバを導入するようにしたことを特徴とする請求項３記載の通信装置。
【請求項５】
前記上部溝型レールは、前記光ファイバを装置前面側から導入して前記側壁の方向に移動させることで前記インタフェースプラグインユニットに導入された前記光ファイバを係止するＬ字状切欠き部を有していることを特徴とする請求項４記載の通信装置。
【発明の詳細な説明】
【技術分野】
【０００１】
本発明は通信装置に関し、特に顧客インタフェース部の操作性の向上と省スペース化を図った通信装置に関する。
【背景技術】
【０００２】
近年の新しい通信システムでは、既存ＳＯＮＥＴ（Synchronous Optical NETwork）システムにＡＴＭ（Asynchronous Transfer Mode）／ＬＡＮ（Local Area Network）機能を搭載し、既存ネットワーク（ＳＯＮＥＴ）との親和性・互換性および新規機能を必要なネットワークに追加できる柔軟性が非常に重要となっている。
【０００３】
この機能を持った通信装置では、従来のＳＯＮＥＴ機能の顧客インタフェース部を増大／追加し、さらに新規ＡＴＭ／ＬＡＮ機能の顧客インタフェース部を多チャネルサポートする必要がある。
【０００４】
図２６は従来の光多重通信装置の一例を示す構成図である。光多重通信装置１は、両側面が一対の支柱２に取り付けられた２段構成のプリント板シェルフ３と、このプリント板シェルフ３にプラグイン接続により収容されるプリント板ユニット４とから構成される。上段側のプリント板シェルフ３は多重部、下段側のプリント板シェルフ３は分離部であり、図示の例では、それぞれに１６ユニットまで挿入実装が可能になっている。プリント板シェルフ３は、通信回線数の増加に応じて追加設置することで多段構成にすることができる。
【０００５】
また、図では、最左端に実装されたプリント板ユニット４がそれぞれのプリント板シェルフ３から引き出された状態に示されている。プリント板ユニット４には光信号処理回路、電気／光信号変換素子、光／電気変換素子などが搭載実装されているが、煩雑となることからここでは省略してある。
【０００６】
それぞれのプリント板ユニット４には、外部からの光ファイバ５と、プリント板ユニット４の内部の光ファイバ６とを、光コネクタにより分離可能に接続することが必要であり、このためにプリント板面の正面側に接近して光コネクタアダプタ７が取付金具８により並列して複数（図では４個）が取り付けられている。
【０００７】
各プリント板シェルフ３の上側は、ファイバトレイ９を構成し、ここにプリント板ユニット４に導入される光ファイバ５の余長部分１０が余長処理されて配置されている。
ここで、それぞれのプリント板ユニット４には、必要とする回線数の回路が搭載実装されるとともに、同数の光コネクタアダプタ７が取り付けられているとする。通信装置が設置される現地では、光コネクタアダプタ７の位置において、外部からの光ファイバ５の光コネクタを着脱させることが行われる。
【０００８】
この光コネクタを着脱する場合、プリント板ユニット４を図示のようにプリント板シェルフ３から引き出して見える状態とし、側面側から着脱の作業を行い、作業完了後にはプリント板ユニット４をプリント板シェルフ３に挿入することが必要である。このとき、着脱作業が行われる光コネクタの光ファイバ５は、ファイバトレイ９上の余長部分１０が適宜長さに引き延ばされ、作業完了後には元の状態に戻される。この光コネクタ着脱作業時の様子を図２７および図２８を参照して説明する。
【０００９】
図２７はプリント板ユニットの収容状態を示す通信装置の要部側断面図、図２８はプリント板ユニットの引き出し状態を示す通信装置の要部側断面図である。これらの図において、プリント板ユニット４に搭載実装される各種回路素子は、光コネクタアダプタ７およびその取付金具８を除き、省略して示してある。また、図示の左側が装置正面（前面）側であり、右側が装置背面（後面）側である。
【００１０】
プリント板シェルフ３の内側の上下面には、図示していないが、プリント板ユニット４を前後方向に案内するガイド溝が設けられている。プリント板シェルフ３の背面側には、プリント板でなるバックボード１１が取り付けられており、これにバックボード側コネクタ１２が実装されている。
【００１１】
プリント板ユニット４には、正面に表面板１３と、上下に挿抜具１４と、下側の背面側途中にストッパ１５と、背面側にはプリント板ユニット側コネクタ１６とが設けられている。プリント板シェルフ３にプリント板ユニット４を挿入実装することにより、プリント板ユニット側コネクタ１６がバックボード側コネクタ１２にプラグイン式に挿入接続される。
【００１２】
外部側の光ファイバ５は、ファイバトレイ９の上に装置背面側から前面側に向けて余長部分１０が巻回載置されてから、前面側でプリント板ユニット４に導入される。導入部分では、光ファイバ５は、束線バンド１７で束ねられ、移動しないようプリント板ユニット４の正面に取り付け固定されている。
【００１３】
ここで、通信装置の設置のときはもちろん、回線数の変更、障害発生時点検などでは、プリント板シェルフ３に収容されているプリント板ユニット４の光コネクタアダプタ７に対して、光コネクタ１８の着脱作業が必要になる。そのためには、まず、挿抜具１４を操作し、プリント板ユニット４をプリント板シェルフ３から引き出す。このプリント板ユニット４は、そのストッパ１５がプリント板シェルフ３の前面金具に引っ掛かり、引き出し位置が規制される図示の位置にまで引き出される。このように光コネクタアダプタ７がプリント板シェルフ３より引き出された状態で、光コネクタ１８の着脱作業が行われ、作業完了時に光コネクタアダプタ７がプリント板シェルフ３へ挿入実装することになる。なお、プリント板シェルフ３から光コネクタアダプタ７を引き出すとき、巻回されている余長部分１０を引き延ばしたり、束線バンド１７の取り外しや、付け直しなどの作業も同時に行われる。
【００１４】
このような光多重通信装置１において、低次群の顧客インタフェース部における実装用のスロットが最大で、たとえば１２スロットあったとする。これらのスロットには、３種類の異種機能を持ったインタフェースプリント板ユニットを実装可能にしている。すなわち、ＤＳ１（digital signal level 1）インタフェース機能、ＤＳ３（digital signal level 3）インタフェース機能、またはＬＡＮインタフェース機能を有するプリント板ユニットを実装することができる。
【００１５】
顧客インタフェース部にこれらのプリント板ユニットを最大数実装した場合、ＤＳ１インタフェースでは、１枚のプリント板ユニット当たり１４チャネルとすれば、１６８チャネルの容量を収容することができ、ＤＳ３インタフェースでは、１枚のプリント板ユニット当たり３チャネルとすれば、３６チャネルの容量を収容することができ、ＬＡＮインタフェースでは、１枚のプリント板ユニット当たり２チャネルとすれば、２４チャネルの容量を収容することができる。そして、各インタフェース用の外線コネクタが装置裏面に最大搭載可能なチャネル数分実装される必要がある。
【００１６】
ところで、ＤＳ３インタフェースのプリント板ユニットについては、二つの異なる構成で使用することが可能である。一つは、冗長構成を取る場合であり、もう一つは、冗長なしの構成を取る場合である。
【００１７】
冗長構成の場合、現用と予備とを１：１とすると、ＤＳ３インタフェースのプリント板ユニットは、現用および予備としてそれぞれ６ユニットを使用することになる。つまり、２スロット幅で、現用および予備の２枚のＤＳ３インタフェースのプリント板ユニットがペアとなって、プリント板シェルフ３に実装される。この場合、プリント板ユニット当たりの容量が３チャネルであるので、６ペアのＤＳ３インタフェースのプリント板ユニットが有する総チャネル数は、３×６＝１８チャネルとなる。このため、インタフェースコネクタは、入出力で３６個必要になる。この３６個のインタフェースコネクタは、光多重通信装置１の背面に設けられる。
【００１８】
冗長なしの構成の場合は、最大１２枚実装されるＤＳ３インタフェースのプリント板ユニットは、すべてが現用として使用される。１２枚のＤＳ３インタフェースのプリント板ユニットが実装された場合の総チャネル数は、３×１２＝３６チャネルとなる。このため、インタフェースコネクタは、入出力で７２個必要となり、この数は冗長構成の場合の２倍である。
【発明の開示】
【発明が解決しようとする課題】
【００１９】
しかしながら、光コネクタの着脱作業は、その都度プリント板ユニットをプリント板シェルフから引き出して行わなければならず、プリント板ユニットを引き出すために、プリント板ユニット側コネクタがバックボード側コネクタから外れてプリント板ユニットの回路動作が停止し、さらには、光ファイバの余長部分の煩わしい取り扱いが必要となるため、作業性が悪いという問題点があった。
【００２０】
本発明はこのような点に鑑みてなされたものであり、光コネクタの着脱における作業性を改善した通信装置を提供することを目的とする。
【課題を解決するための手段】
【００２１】
本発明では上記問題点を解決するために、複数のインタフェースプラグインユニットをシェルフ本体に実装して構成される通信装置において、前記インタフェースプラグインユニットは、装置前面側に斜め下方に延びる切欠き部を有するプリント基板と、装置前面側の前記プリント基板に取り付けられる第１および第２の表面板およびカードレバーと、前記第１の表面板によって前記切欠き部内に保持されたアダプタホルダと、前記アダプタホルダに保持されて前記プリント基板に搭載された光モジュールから引き出された光ファイバと前記第１の表面板と第２の表面板との間を通って斜め下方よりアクセスされる光ファイバとを接続するアダプタとを有することを特徴とする通信装置が提供される。
【００２２】
このような通信装置によれば、インタフェースプラグインユニットは、その前面に斜め下方に延びる切欠き部を有し、その切欠き部にコネクタアダプタが設置され、そこに保持されたアダプタに対し光ファイバコネクタを斜め下方よりアクセスできるようにしている。インタフェースプラグインユニットに対して光ファイバを斜め実装としたことで、インタフェースプラグインユニットを引き抜くことなく、前面から光ファイバの導入が可能になる。
【発明の効果】
【００２３】
本発明の通信装置は、シェルフ内のプラグインユニットに対する光ファイバの導入を装置前面からの斜め実装とするように構成したので、光ファイバの着脱の際に、プラグインユニットを引き抜くことなく操作が可能となり、作業性を格段に向上させることができるという利点がある。
【発明を実施するための最良の形態】
【００２４】
以下、本発明の実施の形態として、顧客インタフェース部の光インタフェース用（たとえば伝送レートがＯＣ−３／１２／４８（Optical carrier level 3/12/48 ）のもの）コネクタを装置前面に搭載し、多数の電気インタフェース用（ＤＳ１／ＤＳ３／ＬＡＮ）コネクタを装置裏面に搭載した光多重通信装置に適用した場合を例にして説明する。
【００２５】
図１は本発明を適用した光多重通信装置の概観図である。この光多重通信装置は、シェルフ本体２１と、拡張シェルフ２２とから構成されている。シェルフ本体２１は、その正面にプラグインユニットを実装するための複数のスロットを備えており、各スロットには、監視制御部２３、スイッチング部２４、顧客インタフェース部２５、およびトランスポート部２６の機能が割り当てられている。ここで、顧客インタフェース部２５は、ＤＳ１信号のインタフェースが要求されている場合には、ＤＳ１インタフェースプラグインユニットが、ＤＳ３信号のインタフェースが要求されている場合には、ＤＳ３インタフェースプラグインユニットが、そしてＬＡＮのインタフェースが要求されている場合には、ＬＡＮインタフェースプラグインユニットを実装することができる。これに合わせて、シェルフ本体２１の背面には、図示はしないが、ＤＳ１インタフェースコネクタ、ＤＳ３インタフェースコネクタ、およびＬＡＮインタフェースコネクタが設けられている。
【００２６】
ただし、ＤＳ３インタフェースコネクタについては、冗長構成の場合に必要な数だけのコネクタがシェルフ本体２１の背面に設けられている。冗長なしの構成の場合は、冗長構成の場合の２倍の数のＤＳ３インタフェースコネクタを必要とするが、その不足分のコネクタは、拡張シェルフ２２に設けられる。この拡張シェルフ２２は、ＤＳ３接続ケーブル２７によって着脱可能にシェルフ本体２１と接続される。したがって、ＤＳ３インタフェースプラグインユニットを冗長構成にて運用する場合は、そのＤＳ３インタフェースコネクタは、シェルフ本体２１に設けられているコネクタだけで足りるので、拡張シェルフ２２をラックから外しておくことも可能である。
【００２７】
顧客インタフェース部２５に実装されるインタフェースプラグインユニットは、その前面から光ファイバ２８を導入するよう構成されている。すなわち、インタフェースプラグインユニットの前面には、斜め下方に延びる切欠き部を有し、その切欠き部の中に設置されたコネクタアダプタに光ファイバコネクタを斜め下方よりアクセスして接続することができるようになっている。シェルフ本体２１の高さに対して中央部と下部、すなわち、シェルフ本体２１のインタフェースプラグインユニットを実装する二つの棚の開口部の下部には、横方向に延びるファイバトレイ２９が設けられており、インタフェースプラグインユニットから引き出された光ファイバを収容するようにしている。これにより、インタフェースプラグインユニットを引き抜くことなく、インタフェースプラグインユニットに対して光ファイバコネクタの着脱が可能になる。また、光ファイバの余長処理をすることなく、ファイバトレイ２９にて光ファイバを整線することができる。
【００２８】
図２は光多重通信装置のシェルフ本体の正面図、図３は光多重通信装置のシェルフ本体の背面図である。光多重通信装置のシェルフ本体２１は、三つのプラグインユニットが実装された監視制御部２３と、八つのプラグインユニットが実装されたスイッチング部２４と、上下２段で構成されてそれぞれ六つのインタフェースプラグインユニットが実装された顧客インタフェース部２５と、上下２段で構成されてそれぞれ三つのプラグインユニットが実装されたトランスポート部２６とを有し、上部には四つの排熱用のファン３０が設けられている。また、シェルフ本体２１の両側面には、ラックへの取り付け用の取付金具３１が設けられている。
【００２９】
顧客インタフェース部２５には、ＤＳ１インタフェースプラグインユニット、ＤＳ３インタフェースプラグインユニット、またはＬＡＮインタフェースプラグインユニットを実装できるので、これに応じて、シェルフ本体２１の背面には、ＤＳ１インタフェースコネクタ３２と、ＤＳ３インタフェースコネクタ３３と、ＬＡＮインタフェースコネクタ３４とが設けられている。
【００３０】
本実施の形態では、ＤＳ１インタフェースコネクタ３２は、１枚のＤＳ１インタフェースプラグインユニット当たり１個設けられ、また、１枚のＤＳ１インタフェースプラグインユニット当たり１４チャネルの容量を有しているので、最大数の実装（１２枚）で１６８チャネルの容量がある。ＤＳ３インタフェースコネクタ３３は、１枚のＤＳ３インタフェースプラグインユニット当たり３チャネルの容量があり、冗長構成の最大数の実装（６ペア）では１８チャネルとなる。このため、ＤＳ３インタフェースコネクタ３３の数は、入出力合わせて３６個となる。冗長なしの構成を採用する場合は、ＤＳ３インタフェースコネクタ３３の数は、入出力合わせて７２個必要となるが、残りの３６個分は拡張シェルフ２２に設けられる。この拡張シェルフ２２との接続を行うため、シェルフ本体２１の裏面に、拡張用コネクタ３５が設けられている。そして、１枚のＬＡＮインタフェースプラグインユニット当たりのチャネル数は２チャネルであり、最大数の実装（１２枚）では、２４チャネルとなるので、ＬＡＮインタフェースコネクタ３４の数は２４個になる。
【００３１】
ここで、ＤＳ３信号の配線について、冗長構成を採る場合の接続と採らない場合の接続とについて説明する。
図４は冗長構成時のＤＳ３信号配線接続を示す図である。シェルフ本体２１の顧客インタフェース部２５は、上下２段で構成されているが、図示の例では、説明を簡単にするため、上段または下段の一方のみを示している。また、シェルフ本体２１は、六つのＤＳ３インタフェースプラグインユニット３６Ｗ１〜３６Ｗ３，３６Ｐ１〜３６Ｐ３を実装する空間の奥に配置されたメインバックワイヤリングボード３７およびシェルフ本体２１の背面に設けられたサブバックワイヤリングボード３８だけを示している。なお、ＤＳ３インタフェースプラグインユニット３６Ｗ１〜３６Ｗ３，３６Ｐ１〜３６Ｐ３を示す符号のうち、Ｗは現用（Work）、Ｐは予備（Protection）を表している。
【００３２】
３ペアのＤＳ３インタフェースプラグインユニット３６Ｗ１−３６Ｐ１，３６Ｗ２−３６Ｐ２，３６Ｗ３−３６Ｐ３は、それぞれ３チャネルの容量を有しているので、サブバックワイヤリングボード３８に設けられたそれぞれ入出力で合計６個のＤＳ３インタフェースコネクタ３３に接続されている。
【００３３】
図５は冗長なしの構成の場合のＤＳ３信号配線接続を示す図である。冗長なしの構成の場合は、すべてのＤＳ３インタフェースプラグインユニット３６が現用として機能する。冗長構成の場合に予備として使われるスロットの配線は、メインバックワイヤリングボード３７に設けられた拡張用コネクタ３５に接続されている。この拡張用コネクタ３５は、拡張シェルフ２２に設けられたコネクタ３９に６芯の細線同軸ケーブルからなる専用のＤＳ３接続ケーブル２７によって接続される。拡張シェルフ２２では、コネクタ３９から３６個のＤＳ３インタフェースコネクタへの接続が行われる。
【００３４】
次に、光多重通信装置の設置形態に応じた拡張シェルフ２２のラックへの取り付け例について説明する。
図６は光多重通信装置の使用環境を説明する図であって、（Ａ）はリモートキャビネットの場合を示し、（Ｂ）はセントラルオフィスの場合を示している。光多重通信装置は、たとえば路上などに設置されたリモートキャビネット内に設置する場合と、伝送装置が置かれている普通の局、すなわちセントラルオフィスの中に設置される場合とがある。ここで、光多重通信装置がリモートキャビネット内に設置される場合、キャビネット自体が小型であるので、シェルフ本体２１の裏側へのアクセスが困難であるという特性があり、セントラルオフィスの場合は、シェルフ本体２１の裏側へのアクセスが容易であるという特性がある。
【００３５】
このため、拡張シェルフ２２は、既にリモートキャビネットに納められている光多重通信装置に対して、特に顧客インタフェース部２５における操作を行う場合には、操作を行う部分が前面にあった方が操作性がよい。そこで、リモートキャビネットへの設置の場合には、図６の（Ａ）に示したように、拡張シェルフ２２はそのＤＳ３インタフェースコネクタが前面に来るようなラック４０への取り付けが行われる。
【００３６】
また、セントラルオフィスに設置する場合には、図６の（Ｂ）に示したように、ＤＳ３インタフェースコネクタが背面に来るように、拡張シェルフ２２をラック４０へ取り付けることになる。
【００３７】
図７は光多重通信装置の平面図であって、（Ａ）はリモートキャビネットの場合を示し、（Ｂ）はセントラルオフィスの場合を示している。拡張シェルフ２２は、その両側面に固定された取付金具４１によってラック４０に取り付けられる。この取り付けは、リモートキャビネットの場合とセントラルオフィスの場合とで拡張シェルフ２２の向きが異なる。このため、拡張シェルフ２２を組み立てる際に、その両側面に固定される取付金具４１を、光多重通信装置の設置形態に応じて向きを変えて固定するようにしている。
【００３８】
拡張シェルフ２２は、シェルフ本体２１の上方に設置されることになるが、シェルフ本体２１の上部には排熱用のファン３０が設けられていることから、シェルフ本体２１の上蓋には、通風孔４２が穿設されている。拡張シェルフ２２をシェルフ本体２１の上方に設置する場合、拡張シェルフ２２がシェルフ本体２１の通風孔４２を塞ぐような配置にすることは好ましくない。そのためには、シェルフ本体２１との間隔をあけて拡張シェルフ２２をラック４０に取り付けるようにすればよい。
【００３９】
しかし、光多重通信装置としては、装置高さが低くてコンパクトであることが好ましいので、次に、シェルフ本体２１の通風孔４２を塞ぐことがなく、また、装置高さを高くすることなく、拡張シェルフ２２をラック４０に取り付けるようにした例を説明する。
【００４０】
図８は拡張シェルフの構成例を示す図である。拡張シェルフ２２は、中央部にＤＳ３接続ケーブル２７が接続される６個のコネクタ３９が設けられており、その両側に、合計３６個のＤＳ３インタフェースコネクタ４３が設けられている。拡張シェルフ２２の両端部には、アーム４４が固着されており、そのアーム４４には、ラック４０への取付金具４５がねじ４６によって固定されている。その取付金具４５は、光多重通信装置の設置形態により反転してアーム４４に固定することができる。すなわち、図において、取付金具４５の代わりに、反転した取付金具４５ａをアーム４４にねじ止めすることができる。このアーム４４が、シェルフ本体２１の通風孔４２を避けて、拡張シェルフ２２をラック４０に取り付けることを可能にさせている。
【００４１】
図９はシェルフ本体をラックに取り付けたときの平面図である。シェルフ本体２１は、リモートキャビネットへの設置およびセントラルオフィスへの設置のいずれの場合にも、プラグインユニットを実装する側（ファイバトレイ２９が設けられている側）を正面にして取付金具３１によりラック４０へ取り付けられる。この図では、シェルフ本体２１の上面に、通風孔４２を見ることができる。
【００４２】
図１０はリモートキャビネット設置用の拡張シェルフを示す平面図である。拡張シェルフ２２をリモートキャビネットに設置する場合、拡張シェルフ２２は、ＤＳ３インタフェースコネクタ４３が設けられている側が正面になるように設置される。このとき、取付金具４５ａは、直接ラック４０に取り付ける取付面を正面側に来るようにアーム４４に固定される。
【００４３】
図１１はリモートキャビネット設置の場合のシェルフ本体および拡張シェルフのラックへの取り付け状態を示す平面図である。図示のように、拡張シェルフ２２は、アーム４４によって前方へ出された位置に設置される。これにより、シェルフ本体２１の通風孔４２が拡張シェルフ２２によって塞がれることはなくなり、シェルフ本体２１にて発生した熱を効果的に排出することができるようになる。
【００４４】
図１２はセントラルオフィス設置用の拡張シェルフを示す平面図である。セントラルオフィスへの設置の場合、拡張シェルフ２２は、ＤＳ３インタフェースコネクタ４３が設けられている側が背面にくるように設置される。このとき、取付金具４５は、直接ラック４０に取り付ける取付面を正面側に来るようにアーム４４に固定される。
【００４５】
図１３はセントラルオフィス設置の場合のシェルフ本体および拡張シェルフのラックへの取り付け状態を示す平面図である。図示のように、拡張シェルフ２２は、アーム４４によって後方へ下げられた位置に設置されるので、シェルフ本体２１の通風孔４２は、拡張シェルフ２２によって塞がれることがなくなる。
【００４６】
このように、拡張シェルフ２２は、ラック４０へ取り付けるための取付金具４５の取付面の向きを変えてアーム４４に固定できるようにしたことによって、フロントアクセス／リアアクセスが可能となり、リモートキャビネットへ設置する場合およびセントラルオフィスへ設置する場合のいずれにも対応することができる。
【００４７】
また、シェルフ本体２１の通風孔４２を拡張シェルフ２２によって塞がれることがないため、拡張シェルフ２２とシェルフ本体２１とを最小限の間隔でラック４０に搭載することができる。このため、装置に必要な高さは、シェルフ本体２１の高さが１０Ｕ、拡張シェルフ２２の高さが２Ｕであるので、１２Ｕとなる。なお、「Ｕ」は、北米で使われているラックの高さの目盛の単位で、４４．４５ミリメートルである。したがって、北米に一般的に用いられているラック（高さ４２Ｕ）に最大３台搭載できるきわめてコンパクトな光多重通信装置となる。冗長なし以外の構成を採るときには、拡張シェルフ２２は必要ないので、装置高さは１０Ｕとなり、さらにコンパクトになる。
【００４８】
次に、顧客インタフェース部２５における操作性を改善したインタフェースプラグインユニットについて説明する。
図１４は光インタフェースプラグインユニットのプリント基板の形状を示す図である。この図において、顧客インタフェース部２５に光インタフェースプラグインユニット３６を挿入する方向をＸで示し、装置正面から見て上方向をＹで示している。この光インタフェースプラグインユニット３６のプリント基板５０は、搭載されるべき部品を除いた状態を示しており、図示のように、装置前面側には斜め下方に延びる切欠き部５１を有している。また、このプリント基板５０には、後述する二つの表面板をねじまたはリベットにより取り付けるためのいくつかの穴５２ａ，５２ｂ，５３ａ〜５３ｃが設けられている。
【００４９】
図１５は第１の表面板を示す図であって、（Ａ）は第１の表面板の正面図、（Ｂ）は第１の表面板の側面図を示している。図示の第１の表面板５４は、プリント基板５０の装置前面下方側に、切欠き部５１の輪郭に沿って取り付けられる。表面板５４の正面部分には、光インタフェースプラグインユニット３６の動作状態表示用の表示器を設けるための四つの窓５５が明けられている。第１の表面板５４の上方には、一部が折り曲げて形成された取付片５６を有し、下方には、同じく一部が折り曲げて形成された取付片５７を有している。これら取付片５６，５７は、それぞれ穴５８ａ，５８ｂを有し、これらをそれぞれプリント基板５０に設けられた穴５２ａ，５２ｂと合わせてねじまたはリベット止めすることにより、第１の表面板５４がプリント基板５０に取り付けられる。
【００５０】
図１６は第２の表面板を示す図であって、（Ａ）は第２の表面板の正面図、（Ｂ）は第２の表面板の側面図、（Ｃ）は第２の表面板の平面図を示している。第２の表面板６１は、プリント基板５０の装置前面上方側に取り付けられて、正面から見たときに、第１の表面板５４とともに光インタフェースプラグインユニット３６の表面板を構成する。この第２の表面板６１はまた、切欠き部５１に導入される二つの光ファイバコネクタを保持する機能をも有している。
【００５１】
したがって、第２の表面板６１は、正面側に向いた正面部６２と、側面部６３と、この側面部６３の上方位置より延長されて折り曲げ形成された取付片６４と、側面部６３のほぼ中間位置より延長されたブリッジ部６５と、後述するアダプタホルダを固定するホルダ固定部６６と、このホルダ固定部６６より延長されて形成された取付片６７，６８とを有している。取付片６４，６７，６８に設けられた穴６９ａ，６９ｂ，６９ｃをそれぞれプリント基板５０に設けられた穴５３ａ，５３ｂ，５３ｃと合わせてねじまたはリベット止めすることにより、この第２の表面板６１をプリント基板５０に取り付けることができる。なお、取付片６８と取付片６４，６７とは段差が付けられていて、取付片６４，６７はプリント基板５０の表面側（図１４に示された側の面）に取り付けられ、取付片６８はプリント基板５０の裏面側に取り付けられる。
【００５２】
図１７はアダプタホルダを取り付けた第２の表面板を示す図である。図示のように、二つのアダプタホルダ７０が、表面板６１のホルダ固定部６６を挟んでその両側に配置され、それぞれホルダ固定部６６に固定される。このアダプタホルダ７０の詳細を図１８に示す。
【００５３】
図１８はアダプタホルダの例を示す図であって、（Ａ）はアダプタホルダの正面図、（Ｂ）はアダプタホルダの右側面図、（Ｃ）はアダプタホルダの平面図である。アダプタホルダ７０は、ベース部材７１と、光インタフェースプラグインユニット３６に実装された光モジュールからの引き出された光ファイバのための装置内光コネクタを保持する二つの保持片７２と、アダプタを装着するアダプタ装着部７３とを有し、ベース部材７１にはリベットなどによって表面板６１のホルダ固定部６６に固定するための穴７４が設けられ、アダプタを装着する側の壁にはアダプタを固定するための穴７５が設けられている。
【００５４】
図１９はアダプタの例を示す図であって、（Ａ）はアダプタの部分断面正面図、（Ｂ）はアダプタの左側面図である。図示のアダプタ７６は、同一タイプの光コネクタを接続する場合の例を示しており、ほぼ左右対称に形成されたハウジング７７からなる。ただし、アダプタ７６をアダプタホルダ７０に装着する側のハウジング７７には、板ばね７８が形成されている。ハウジング７７の中には、１対の光コネクタ係止部７９を有し、中央には、光コネクタのフェルールを導入して光ファイバの光軸を合わせるスリーブ８０を有している。また、ハウジング７７は、その開口端側にキー溝８１を有し、中央部にはフランジ８２を有している。このフランジ８２にはアダプタホルダ７０に固定するための穴８３が設けられている。
【００５５】
図２０はアダプタホルダにアダプタを装着した状態を示す図である。アダプタ７６をアダプタホルダ７０のアダプタ装着部７３に装着すると、アダプタ７６の板ばね７８の弾性力によりアダプタ装着部７３のほぼ中央位置に位置決めされ、その状態でアダプタ７６の穴８３およびアダプタホルダ７０の穴７５を利用してリベット止めなどをすることにより、アダプタ７６がアダプタホルダ７０に固定される。
【００５６】
図２１はアダプタにより光コネクタを接続した状態を示す図、図２２は接続された光コネクタの表面板への保持状態を示す図である。装置内光コネクタ８４および装置外光コネクタ８５のアダプタ７６への装着は、装置内光コネクタ８４および装置外光コネクタ８５の本体に突設されたキー８６，８７をアダプタ７６の両側に設けられたキー溝８１に合わせて挿入することにより行われる。これにより、アダプタ７６内のスリーブ８０内において、その両側から挿入されたフェルールの先端同士が最適な圧力で圧接され、光ファイバの芯線間の光結合が行われる。
【００５７】
図２３は光インタフェースプラグインユニットを示す図であって、（Ａ）は光インタフェースプラグインユニットを装置正面から見た図、（Ｂ）は光インタフェースプラグインユニットを装置側面から見た図である。これらの図によれば、プリント基板５０の装置前面側に形成された切欠き部５１に、第２の表面板６１によって保持されたアダプタ７６が配置されている光インタフェースプラグインユニット３６を見ることができる。このアダプタ７６には、一方にはプリント基板５０上に搭載された光モジュール８８から出ている光ケーブルの装置内光コネクタ８４が挿入され、他方には、装置外光コネクタ８５が挿入されている。実際には、装置外光コネクタ８５の挿入は、光インタフェースプラグインユニット３６をシェルフ本体２１に実装した後に行われる。
【００５８】
また、この光インタフェースプラグインユニット３６には、第２の表面板６１に大型のカードレバー８９が設けられており、プリント基板５０の装置背面側にコネクタ９０が設けられている。さらに、第１の表面板５４の窓５５の装置背面側には、動作状態表示用の表示器９１がプリント基板５０上に搭載されている。
【００５９】
図２４は光インタフェースプラグインユニットの実装状態を示す図である。この図では、２段構成となっている顧客インタフェース部２５の下段の部分を示している。光インタフェースプラグインユニット３６がシェルフ本体２１の顧客インタフェース部２５に実装されると、プリント基板５０に設けられたコネクタ９０は、メインバックワイヤリングボード３７に設けられたピン端子と接続され、他のプラグインユニットおよびコネクタとの電気的な接続が行われる。この光インタフェースプラグインユニット３６は、カードレバー８９の爪９２がシェルフ本体２１の側に設けられたストッパ部材９３に係止されることにより、抜けが防止される。
【００６０】
また、光インタフェースプラグインユニット３６が実装されるシェルフ本体２１の開口部下部に装置側壁まで水平に延びるファイバトレイ２９が設けられている。このファイバトレイ２９は、装置外光コネクタ８５から伸びる光ファイバ２８を整線収納しつつその光ファイバ２８をシェルフ本体２１の外まで導くようにするもので、棚が２段構成となっている顧客インタフェース部２５およびトランスポート部２６において共通に使用されるようそれぞれの段に設けられている。
【００６１】
図２５はファイバトレイの詳細を示す図であって、（Ａ）は装置正面から見たファイバトレイの部分拡大図、（Ｂ）はファイバトレイの部分斜視図である。ファイバトレイ２９は、上部溝型レール９５および下部溝型レール９６を組み合わせて略Ｃ字状断面に形成されている。ただし、上部溝型レール９５は下部溝型レール９６よりも幅を小さくすることによって装置前面側に段差９７を設けている。この段差９７がファイバトレイ２９に光ファイバ２８を導入するための開口部を形成している。また、上部溝型レール９５には、それぞれ光ファイバ２８の垂下位置に、装置前面側から進んで光ファイバ２８の出口方向に曲がったＬ字状切欠き部９８を有している。
【００６２】
光インタフェースプラグインユニット３６から引き出された光ファイバ２８をファイバトレイ２９に納めるには、光ファイバ２８の直下部分をＬ字状切欠き部９８の装置前面側の開口部からファイバトレイ２９に入れ、光ファイバ２８の直下部分から先の部分は段差９７によって形成された開口部からファイバトレイ２９に入れ、さらに、矢印９９で示したように、光ファイバ２８の直下部分をＬ字状切欠き部９８の奥に移動させて、ファイバトレイ２９より出た光ファイバ２８を引っ張る。これにより、光ファイバ２８は、その直下部分がＬ字状切欠き部９８に係止された状態で、ファイバトレイ２９に納められるようになる。
【図面の簡単な説明】
【００６３】
【図１】本発明を適用した光多重通信装置の概観図である。
【図２】光多重通信装置のシェルフ本体の正面図である。
【図３】光多重通信装置のシェルフ本体の背面図である。
【図４】冗長構成時のＤＳ３信号配線接続を示す図である。
【図５】冗長なしの構成の場合のＤＳ３信号配線接続を示す図である。
【図６】光多重通信装置の使用環境を説明する図であって、（Ａ）はリモートキャビネットの場合を示し、（Ｂ）はセントラルオフィスの場合を示している。
【図７】光多重通信装置の平面図であって、（Ａ）はリモートキャビネットの場合を示し、（Ｂ）はセントラルオフィスの場合を示している。
【図８】拡張シェルフの構成例を示す図である。
【図９】シェルフ本体をラックに取り付けたときの平面図である。
【図１０】リモートキャビネット設置用の拡張シェルフを示す平面図である。
【図１１】リモートキャビネット設置の場合のシェルフ本体および拡張シェルフのラックへの取り付け状態を示す平面図である。
【図１２】セントラルオフィス設置用の拡張シェルフを示す平面図である。
【図１３】セントラルオフィス設置の場合のシェルフ本体および拡張シェルフのラックへの取り付け状態を示す平面図である。
【図１４】光インタフェースプラグインユニットのプリント基板の形状を示す図である。
【図１５】第１の表面板を示す図であって、（Ａ）は第１の表面板の正面図、（Ｂ）は第１の表面板の側面図を示している。
【図１６】第２の表面板を示す図であって、（Ａ）は第２の表面板の正面図、（Ｂ）は第２の表面板の側面図、（Ｃ）は第２の表面板の平面図を示している。
【図１７】アダプタホルダを取り付けた第２の表面板を示す図である。
【図１８】アダプタホルダの例を示す図であって、（Ａ）はアダプタホルダの正面図、（Ｂ）はアダプタホルダの右側面図、（Ｃ）はアダプタホルダの平面図である。
【図１９】アダプタの例を示す図であって、（Ａ）はアダプタの部分断面正面図、（Ｂ）はアダプタの左側面図である。
【図２０】アダプタホルダにアダプタを装着した状態を示す図である。
【図２１】アダプタにより光コネクタを接続した状態を示す図である。
【図２２】接続された光コネクタの表面板への保持状態を示す図である。
【図２３】光インタフェースプラグインユニットを示す図であって、（Ａ）は光インタフェースプラグインユニットを装置正面から見た図、（Ｂ）は光インタフェースプラグインユニットを装置側面から見た図である。
【図２４】光インタフェースプラグインユニットの実装状態を示す図である。
【図２５】ファイバトレイの詳細を示す図であって、（Ａ）は装置正面から見たファイバトレイの部分拡大図、（Ｂ）はファイバトレイの部分斜視図である。
【図２６】従来の光多重通信装置の一例を示す構成図である。
【図２７】プリント板ユニットの収容状態を示す通信装置の要部側断面図である。
【図２８】プリント板ユニットの引き出し状態を示す通信装置の要部側断面図である。
【符号の説明】
【００６４】
２１  シェルフ本体
２２  拡張シェルフ
２３  監視制御部
２４  スイッチング部
２５  顧客インタフェース部
２６  トランスポート部
２７  接続ケーブル
２８  光ファイバ
２９  ファイバトレイ
３０  ファン
３１  取付金具
３２  インタフェースコネクタ
３３  インタフェースコネクタ
３４  インタフェースコネクタ
３５  拡張用コネクタ
３６  光インタフェースプラグインユニット
３７  メインバックワイヤリングボード
３８  サブバックワイヤリングボード
３９  コネクタ
４０  ラック
４１  取付金具
４２  通風孔
４３  インタフェースコネクタ
４４  アーム
４５  取付金具
４５ａ  取付金具
５０  プリント基板
５１  切欠き部
５２ａ，５２ｂ  穴
５３ａ，５３ｂ，５３ｃ  穴
５４  第１の表面板
５５  窓
５６，５７  取付片
５８ａ，５８ｂ  穴
６１  第２の表面板
６２  正面部
６３  側面部
６４，６７，６８  取付片
６５  ブリッジ部
６６  ホルダ固定部
６７，６８  取付片
６９ａ，６９ｂ，６９ｃ  穴
７０  アダプタホルダ
７１  ベース部材
７２  保持片
７３  アダプタ装着部
７４，７５  穴
７６  アダプタ
７７  ハウジング
７８  板ばね
７９  光コネクタ係止部
８０  スリーブ
８１  キー溝
８２  フランジ
８３  穴
８４  装置内光コネクタ
８５  装置外光コネクタ
８６，８７  キー
８８  光モジュール
８９  カードレバー
９０  コネクタ
９１  表示器
９２  爪
９３  ストッパ部材
９５  上部溝型レール
９６  下部溝型レール
９７  段差
９８  Ｌ字状切欠き部
【図１】
2007179064.tif 000003
【図２】
2007179064.tif 000004
【図３】
2007179064.tif 000005
【図４】
2007179064.tif 000006
【図５】
2007179064.tif 000007
【図６】
2007179064.tif 000008
【図７】
2007179064.tif 000009
【図８】
2007179064.tif 000010
【図９】
2007179064.tif 000011
【図１０】
2007179064.tif 000012
【図１１】
2007179064.tif 000013
【図１２】
2007179064.tif 000014
【図１３】
2007179064.tif 000015
【図１４】
2007179064.tif 000016
【図１５】
2007179064.tif 000017
【図１６】
2007179064.tif 000018
【図１７】
2007179064.tif 000019
【図１８】
2007179064.tif 000020
【図１９】
2007179064.tif 000021
【図２０】
2007179064.tif 000022
【図２１】
2007179064.tif 000023
【図２２】
2007179064.tif 000024
【図２３】
2007179064.tif 000025
【図２４】
2007179064.tif 000026
【図２５】
2007179064.tif 000027
【図２６】
2007179064.tif 000028
【図２７】
2007179064.tif 000029
【図２８】
2007179064.tif 000030